(57)【要約】  病院用の格子面（ｎｅｔ−ｐｌａｎｅ）システム（１０）であって、少なくとも以下を有する。プラスチック材の回転成形によって得られ高度に殺菌されたモノブロックシェル（１０１）、突出する共成形された二つの大型ハンドル（１０２）、調節およびリクライニング可能な背もたれ（１０５）を一体化するべく陥没形成されたハウジング（１０４）。前記格子面（ｎｅｔ−ｐｌａｎｅ）システム（１０）は、小児用小型ベッド（２０）の構造体に含まれ、この構造体は、格子面（ｎｅｔ−ｐｌａｎｅ）システム（１０）と、可動ベース（２０１）と、中間フレーム（２０５）と、コーナーポスト（２０３）と、それぞれ独立して高さ調節可能な二つの支持部材（４０）と、透明で取り外し可能なクロージャ（ｔａｍｐｏｎａｇｅ）（２３０）を備える固定フレーム（２２０）によって形成される二つの短い側壁（２１０）と、同様に縦方向にスライドする二つの長い側壁（２４０）とを有する。本発明は、子供の介護と衛生化を容易にし、モダンなデザインを可能にするとともに、容易かつ経済的に製造される。
2014533570.tif 000002
【特許請求の範囲】
【請求項１】
病院の小児用ベッドのための殺菌可能な格子面システムであって、回転法での射出成型によって得られるプラスチック材から成るモノブロック本体（１０１）を有し、
当該本体（１０１）は、二つの短側部のそれぞれに対応する、同じモールドから連続離断なしで得られる一対の大型ハンドル（１０２）を備え、
前記本体（シャーシ）（１０１）は、更に、上方に開口するとともに安全のために底部（１０７）から下方に閉じられ、かつ、当該本体（１０１）と表面的および側方において合わせられたリクライニング背もたれ（１０５）を収納するようにマットレスの支持面に対して下方に配設されたハウジング（１０４）を有し、
傾斜調節可能な前記背もたれ（１０５）は、ヒンジ止めによって前記本体（１０１）に接続されるとともに、それを後方に支持する伸長−調節可能式の少なくとも１つのアーム（１１２）を有し、
前記本体（１０１）及び前記背もたれ（１０５）は、前記型から形成された前記マットレスの側方拘束部材（１０３）、  （１１６）、  （１０６）を有する、格子面システム。
【請求項２】
前記大型ハンドル（１０２）の両方は、前記本体（１０１）の前記短側方と同じ幅であり、更に、移動を容易にするために、前記格子面（１０）を組み込むように構成された小児用ベッド（２０）の短側壁から逃れるべく前記マットレスの支持面に対して突出し持ち上げられ、
前記大型ハンドル（１０２）は、前記マットレスの保持バンクとして作用するアングルに対応して長手方向に延出する側方アーム（１０３）を含み、
前記モノブロック本体（１０１）は、前記マットレスの支持面に複数の横リブ（１１８）を形成するとともに後面に長手リブ（１１９）を形成するように三次元形状に形成され、
ボックス型の貫通孔（１２２）が前記リブと協働して側方部材とスラットとが互いに直交するタイプの改善された剛性をそなえる搬送中空構造体を形成するように構成されている、請求項１の格子面システム。
【請求項３】
前記リクライニング背もたれ（１０５）は、回転法での射出成型によって得られるプラスチック材からなるモノブロック式であり、前記背もたれ（１０５）は、前記モノブロック本体（１０１）に対して美感的および機能的に規格された横リブ（１１８）と貫通穴（１２２）とから形成され、前記背もたれ（１０５）は、頭部のエッジに対応して成形によって得られ少なくとも１つの大型ハンドル（１０６）を備えるとともに、反対側のエッジにおいては、揺動ピン（１０９）によって前記水平モノブロック本体（１０１）に対する結合を可能なようにヒンジの形状を有し、前記背もたれ（１０５）は、マットレスを特に着座位置において、側方から収容するように上向きのフィン形状の少なくとも１つの突出部（１１６）の側方エッジのそれぞれに対応して設けられるとともに、その外側においては、傾斜を示す装置（１１４）を支持し、
前記アーム（１１２）は、長手中央線に対応して背もたれに接続され、外部レバー（１１５）によるロック／ロック解除システムによって伸長／調節可能に構成されている、請求項１の格子面システム。
【請求項４】
前記モノブロック本体（１０１）には、頭部および足に対応して前記長手中央軸心に沿った位置において前記本体（１０１）の下側にヒンジ止めによって固定された、高さ調節可能な柱タイプの少なくとも二つの支持部材（４０）が接続され、これらの支持部材（４０）は、それらの間で独立的に高さ調節可能にするように小児用ベッド（２０）に接続されるように構成されている、請求項１の格子面システム。
【請求項５】
ａ）回転成形によって得られプラスチック材からなるモノブロック本体（１０１）を有し、二つの短側方のそれぞれに大型ハンドル（１０２）を備える格子面（１０）のシステムであって、前記ハンドル（１０２）は、型から形成されるとともに、取扱いを容易にするためにクロージャ（ｔａｍｐｏｎａｇｅ）（２３０）から逃れるべくマットレスの支持面に対して突出し持ち上げられ、更に、マットレスの保持バンクとして作用するアーム（１０３）を備え、前記本体（１０１）は、底部（１０７）が閉じられるとともに、回転法によって得られるプラスチック材から成り、伸長可能式の少なくとも１つのアーム（１１２）によって支持されて調節可能である、リクライニング背もたれ（１０５）を一体的かつ拘束的に収納するように構成された少なくとも１つのハウジング（１０４）を備えている格子面（１０）のシステムと、
ｂ）キャスタ（２０２）に取り付けられた金属フレームを備える移動トローリ式の支持ベース（２０１）と、
ｃ）前記ベース（２０１）に水平に固定されるとともに、コーナーポスト（２０３）を介して側壁（２１０）および（２４０）を支持するとともに、頭部と足とに対応して前記長手中央軸心に配置されたブッシュ（４２）を介して前記格子面（１０）を調節可能に支持する中間フレーム（２０５）と、
ｄ）それぞれ独立的に高さ調節可能に柱状に形成されるとともに、頭部と足とに対応してブラケット（４１）によって前記長手中央軸心に沿って前記本体（１０１）の下側にヒンジ止めによって固定された二つの支持部材（４０）と、
ｅ）前記格子面（１０）の高さと傾斜とを決定するべく前記両支持部材（４０）の高さを互いに独立的に制御するロック／ロック解除手段（５０）と、
ｆ）前記コーナーポスト（２０３）に固定され、モノブロック本体としてプラスチック材からＵ形状に形成されるとともにその内部に取り外し可能なクロージャ（２３０）を有するフレーム  （２２０）と、側方一体化レール（２２２）とによって形成されるとともに、前記アーム（１０３）の横断と、前記大型ハンドル（１０２）の自由な移動とを許容するべく側方拘束形状部（２３１）を設けており、頭部及び足部に対応して形成される二つの短い側壁（２１０）と、
ｇ）前記固定フレーム（２２０）に固定されるクロージャとしてのロック／ロック解除手段（２３０）であって、その端部側において、前記クロージャ（２３０）に形成された穴（２３２）に係合するべく小歯部（２２３）の形状であり、バネを有する回転レバー（２２１）を備え、上方において反対の角度に形成されるように二つ対称に配置されているロック／ロック解除手段（２３０）と、
ｈ）前記コーナーポスト（２０３）と一体の側方レール（２５５）上でスライド可能で、かつ、それぞれ、成形プラスチックコーティングと透明シート（２４４）による内部クロージャとを備える金属プロファイルによって形成される二つの長手側壁（２４０）と、
ｉ）ピン（２５２）に接続されるとともに前記ガイド（２５５）に形成された溝ノッチ（２５６）に係合するようにバネ（２５３）によって付勢されているタブ取り付け具（２５１）を含み上方において反対の角度で二つ対称に配置されている前記側壁（２４０）のロック／ロック解除手段（２５０）と
を備える、病院用の小児用ベッド。
【発明の詳細な説明】
【技術分野】
【０００１】
本発明は、プラスチック材で成形されるとともに高度に殺菌されたモノブロックシェルを備える病院用の格子面システムと、それを組み込み、子供の介護を容易にする小児用ベッドの構造体とに関する。
【背景技術】
【０００２】
本発明はそれに限定されるものではないが、特に病院で使用されるものであって、子供に対する介護を容易にするとともに操作がきわめて容易でかつ殺菌された小型ベッドを自由に使用することが必要なすべてのケースに使用されるものである。
【０００３】
病院用の小児ベッドおよび小型ベッドは、広く使用されており、小児病棟に従来より備えられているものである。現在、様々なタイプのものが市販されているが、それらは以下のタイプに分類される。
「トローリ型」小児ベッド、これは通常、透明なプラスチック材から形成されるモノブロックからなる「バスケット」容器を支持する可動式支持フレームによって形成される。時として、このフレームはＣ形状であって、母親のベッドの下にぴったりとおさめられるようにキャスタ車輪を備えるとともに、高さと傾斜角度が調節可能である。
単純な「小型ベッド」これは、マットレスと、「バンク」としても知られている保護用側壁とを支持するための格子面を有し、前記側壁のうちの少なくとも１つは、子供またはマットレスに対するアクセスを容易にするべく可動式であって、垂直バーを備えるタイプか、または、透明シートによって構成されるとともに、垂直方向にスライド案内される。このタイプのバリエーションとしてはその支持脚が床に対して固定されるタイプのもの、又はキャスタ車輪を備えた可動式タイプのものがある。
複雑な「小型ベッド」これは様々な特徴を備えている。たとえば、複数の部分に分割されているマットレス面がリクライニングするものや、電動式調節機能を備えるもの、そのベース部に引き出しが一体形成されたもの、あるいは、パイプやモニタ支持体等の子供のケアと支持のための特殊な支援機能を備えたものなどがある。
【０００４】
一般に、前記「トローリ型」小児ベッドには、主として新生児用として小型の「バスケット」を搭載している。これに対して、前記「小型ベッド」タイプのものはよりサイズが大きく、主として入院用に構成されている。
【０００５】
場合によっては、前記「小型ベッド」タイプのものは、支持フレームを備え、それによって、その機能、構造および操作性において、時に大型のハンドルを備える可動式トローリ、または可動式ベース、に類似したものとされるが、しかしながら、常に、前記格子面と保護用の側壁を含んだものであることには変わりがない。
【０００６】
特に、前記格子面は、通常、従来式のタイプであって、ワイヤメッシュを支持する金属プロファイルリングであるか、特定の移動および姿勢、たとえば、トレンデレンブルグ体位（Ｔｒｅｎｄｅｌｅｎｂｕｒｇ）として知られている操作のためのマットレスの傾斜、あるいは、枕のように片方の端部を持ち上げたり、あるいは着座位置のための背もたれのような形状での姿勢を可能にするべくそれらの間に、相互接続された複数の部材を組み合わせた複合構造とされる。
【０００７】
病院用のベビー用小児ベッド業界において従来から使用されている材料は、重量や製品コストの削減、更に品質および高い製造効率、等の典型的な構造上の要件に加えて、安定性と耐摩耗性と、更に、最高度の衛生性と安全性、更にいくつかのパーツの透明性、が理由で選ばれている。一般に、フレームやトローリを形成するためには金属プロファイルが好適であるのに対して、前記「バスケット」を形成するためには、また、前記「小型ベッド」のいくつかのパーツでは、木材やベニア板、積層プラスチックやシート材などの従来使用されてきた材料の代わりに、今日では、成形熱可塑性樹脂が特に好適である。
【０００８】
特に、病院の家具の分野において成形熱可塑性ポリマーを使用することは、製品の軽量性、高い耐久性、部材間の接続部分と、その内部にゴミ埃が残って除去困難でバクテリア増殖のための最適な巣窟となる可能性のある凹部との形成を減らずように複数の部材および機能を一体化する複雑な形状、等の数多くの周知の利点を提供する。従って、衛生上の目的のためには、連続する大きな複数の部材を熱可塑性ポリマーで一体成型することが優れた解決手段であると考えられるが、工業生産の目的のためには、そのようにして製造された製品は、有利ではあるものの、装置と投資の知られた制約がある。従来のマトリクス−パンチ型の射出成型法によって大きなサイズの部材を製造するためには、億雑な型と数多くのプレス工程が必要とされ、多くの場合その販売量に見合わない投資になることはよく知られている。
【０００９】
また、医療分野において、中空部分を有し連続するモノブロック部材を得ることを可能にし、また、型の複雑性が低いという利点を有する「回転式」と呼ばれる特定の成形法によって、ボディーや容器等の家具のパーツを作ることも知られている。そのような実施例において、部品および接続部分の数を更に減らすことは効率的な衛生化のために有利である。
【００１０】
病院の環境において、上部バスケットを備えるトローリ型の小児用ベッドと、格子面と側壁とを備えた小型ベッドの解決構成、更に分割傾斜式格子面や可動式側面、更に、電動式可動式の構成も古くから知られている。
【００１１】
特許文献においても、子供の介護を容易にする、または、特殊な姿勢を容易にするように構成された、小児用ベッドおよび小型ベッドのいくつかの解決構成が知られている。それらの解決構成において、たとえば、以下の特許文献により記載されている。
【００１２】
特許文献１（Koenig et al.）において、複数のコンパートメントを備え、揺動車輪上に搭載された多機能ベースメントによって形成される小児用ベッドの複雑なシステムが記載され、これは、その上にマットレスが載置されるとともに、４本のリジッドな角材からなる支持体を形成する上部格子面と、垂直にスライドするバンクを支持するように構成されたレールであって、垂直バーまたは連続透明シートを備えるタイプのレールを有し、前記システムは電動移動機能をそなえている。
【００１３】
特許文献２（Treen et al.）は、パンタグラフ式の運動によって高さ調節可能で、かつ電動式であり、異なる調節に対応するための制御パネルを備える、格子面を有する、固定ベースメントによる小児用ベッドの複雑なシステムを提案しており、その壁は固定され一部透明で、アングルブラケット無しの自己支持式に構成されている。
【００１４】
特許文献３（Heimbrock et al.）は、車輪付きベースメントの小児用ベッドを開示し、これは、異なる調節および姿勢を可能にするべく機械運動構造に接続されるとともにペダルによってロックされる格子面の支持部材を支持する中央柱と、側方バンクとを備えている。
【００１５】
特許文献４（Godin et al.）および特許文献５（Hallock et al.）は、実質的に公知の従来式の、可動バンクを備える小ベッドフレームの構造を提案し、これは、分割式の格子面を特徴とし、たとえば、胴体と膝とを持ち上げた状態等の、特定の姿勢を可能にするべく折りたたまれ、前記システムはクランク機構によって制御されるか、もしくは、電動式である。
【００１６】
特許文献６（Hardy）では、閉じられた角シャーシ型の子供用のボックス構造が記載され、これは、マットレスを備える小型ベッドに変換可能であって、場合によっては換気を容易にするための穴をそなえることが可能な連続した透明な側壁を特徴としている。
【００１７】
特許文献７（Nivet）は、更に、マットレスと格子面ネットワークとの間の取り外し可能な挿入による手動式の、姿勢を調節するための付属装置を提案し、これはリジッドで薄く、本のように長手面に沿ってヒンジ止めされたふたつの平坦な部材から構成され、スペーサの作用を有するＣ形状の中間部材を備え、反対側の部材に固定された歯状部に係合するように前記平坦部材の一方の内面において端部にヒンジ止めされている。
【００１８】
（最も関連性の高い従来技術）
特許文献８（Propst et al.）は、車輪上に装着された高さ調節可能で電動式の支持フレームにサスペンドされるタイプの複雑な小児用ベッドの構造を提案し、安全のために内方に傾斜した長手側壁がローラで巻き上げられるとともに側方ガイド上でスライドするタイプであり、リジッドな透明シートによって形成される短い側壁を備え、複数の分割部分と、更に、好ましくは、折り畳み線とを備えるマットレスと組み合わされた折り畳み可能で調節可能な格子面を備えている。前記格子面は、更に、二つの金属フレームを備えて構成され、その内の下方フレームは、格子面の主支持の機能を有する連続した平面であり、たとえば、水平または、治療目的そのための傾斜を有する所定の位置において小ベッドのフレームに対して固定され、更に、前記下部フレームと一体の二つの外部の大型ハンドルヘッドがスロット形成された金属プレートに挿入されるとともに、前記短い側部に対応して前記支持フレームに固定されて、公知の前記トレンデンブルグ体位への操作を可能にしている。前記下方フレームは、それに物理的に取り付けられた揺動上方フレームを支持するか、もしくは、適当な形状の凹部に横たえられ、前記マットレスと子供とを特定の姿勢、たとえば、背中と膝とが持ち上げられた姿勢、に支持するように構成されている。
【００１９】
以上すべてを考慮すると、以下の構成が公知であると合理的に推定される。
−プラスチック材からなるモノブロックバスケットを備え、病院用に使用される、金属トローリによる小児ベッドの構造体、
−サスペンド式の単純なフレーム、または、ベースメントによって構成され、かつ、高さ調節可能で、支持脚またはキャスタ車輪を備える、病院用の、小児ベッドの構造体、
−レールまたは案内部材上で垂直にスライドする、可動側壁を備える小児用ベッド設備、
−連続面式または複数のリクライニングパーツに分割される中央格子を備える単純な金属フレーム、または、トレンデンブルグ体位用に傾斜可能な下方支持構造と、特定の姿勢でマットレスを支持するように可動可能な分割上方フレームとが重ねられたダブルフレームによって構成される小児用小型ベッド用の格子面のシステム、
−所定の位置で歯部材に係合する中間スペーサ部材によってヒンジ止めされた二つの平坦な部材から成る、マットレスと格子面との間に挿入される、傾斜を調節するための取り外し可能な装置。
【００２０】
それらを一体化するのに適した小児用ベッドの構造体を備え格子面の上述した諸解決構成は、マットレス支持の作用を効果的に行うとともに、たとえばトレンデンブルグ体位操作等の複雑な姿勢および特定の傾斜を可能にするものであり、たとえば大型のハンドルや電動化等といった移動または調節を容易にするために構成された技術である。
【先行技術文献】
【特許文献】
【００２１】
【特許文献１】米国特許第６６８４４２０号明細書
【特許文献２】英国特許第２４２９４００号明細書
【特許文献３】米国特許第６７５１８１５号明細書
【特許文献４】米国特許出願公開第２００３／０１３５９２３号明細書
【特許文献５】国際公開第２００８／０３６６６８号明細書
【特許文献６】英国特許第２４５１８３２号明細書
【特許文献７】仏国特許第２９３２０７１号明細書
【特許文献８】米国特許第３７８０３８７号明細書
【発明の概要】
【発明が解決しようとする課題】
【００２２】
しかしながら、上述した諸解決構成では、格子面であるベッドまたは小児ベッドの日々の清浄のために病院において使用されている従来の器具による殺菌が容易でも完全でもなく、それを一体に備える小型ベッドの構造も複雑で多数の部材から構成されるものになり、バクテリアの増殖可能な接続部分や凹部の数も大きなものとなる。更に、金属、プラスチックまたは繊維といった不均一な材料が同時に存在し、また、その表面の構造にも、滑らかなものと凹凸のあるもの、連続するものと孔あきまたはメッシュ状のものといった様々なものが存在することが、時として、日々の清浄作業、また、種々の製品や道具の使用のための障害となる。
【００２３】
特に、モノブロック構造を有するプラスチック材から形成され、トレンデンブルグ体位操作用に傾斜可能な、病院用の小児ベッドの格子面の解決構成において、殺菌が容易なものはこれまでなかった。
【００２４】
また、たとえば背もたれ状のものとして構成されるマットレスの一部をリクライニングするべく、可動面の一部を一体的に備えるモノブロック構造と使用される病院用の小児ベッドのための格子面の解決構成に於いてプラスチック材から形成されるとともに殺菌が容易なものもこれまでなかった。
【００２５】
更に、プラスチック製のＵ形状の側方カバーシェルと、格子面への挿入と子供へのアクセスのために容易に取り外し可能な透明なクロージャとを備えて実現される可動格子面の大型ハンドルによって形成され自由に横断される頭部側側壁を備える小児用小型ベッドにおいて殺菌が容易で、かつ、モダンなデザインのものはなかった。
【００２６】
今日までに適用されてきたシステムと技術におけるもう一つの問題点は、可動格子面を含み、子供の介護を容易にするように構成される病院用の小児ベッドの構造の組み立てに関与する諸コンポーネントが製造コストの合理化と製品コードの管理を可能にするものでないことにある。
【００２７】
今日までに適用されてきたシステムと技術とにおける更に別の問題点は、安全に関する。具体的には、材料が時として丸みを帯びたコーナーおよびエッジに処理されておらず、更に、床面が背もたれ状に傾斜されるいくつかの解決構成においては、時として子供がその下に保護手段が無い状態でそれを登ったり下りたりできてしまう。
【００２８】
更に、背もたれを持ち上げたり、リクライニングさせたり、あるいは、格子面の高さを変えたり、または、トレンデンブルグ体位操作を行うために、または、側壁の垂直スライド移動をロック解除するために、可動パーツを動かすためのメカニズムに関する問題として、子供を格子面から移動させることなく、それらの操作を日々複数回行わなければならないたった一人の作業者にとってそのような操作があまり容易ではなくかつ労力を要するものであることである。
【００２９】
更に、高さや傾斜等の調節および移動機能を備える複雑な解決構成では、電気モータによって補助されるメカニズムが電気ネットワークに対する接続を必要とし、そのことによって、重量とコスト増加に加えて、その移動の範囲が限定されるという問題もある。
【００３０】
したがって、この業界において、前もって設定された下記の課題を達成するための最適な解決構成を明らかにすることが必要とされている。
【課題を解決するための手段】
【００３１】
この課題およびその他の課題は、請求項に記載の特徴構成を備える本発明によって達成され、これは病院用の格子面システム１０によって上述した問題点を解決するものであり、これは、少なくとも以下を備える。プラスチック材を回転成形することによって得られ高度に殺菌されたモノブロックシェル１０１、突出する二つの共成形された大型ハンドル１０２、背もたれ１０５を調節およびリクライニング可能に一体化するべく陥没形成されたハウジング１０４。前記格子面システム１０は、以下を含む小児用小型ベッド２０の構造体に含まれる。すなわち、格子面システム１０、可動ベース２０１、中間フレーム２０５、コーナーポスト２０３、それぞれ独立して高さ調節可能な二つの支持部材４０、透明で取り外し可能なクロージャ（ｔａｍｐｏｎａｇｅ）  ２３０を備える固定フレーム２２０によって形成される二つの短い側壁２１０、垂直スライドも可能な二つの長手側壁２４０。本発明は、子供に対する介護と殺菌を容易にし、モダンのデザインを可能にするとともに、容易かつ経済的に製造される。
【発明の効果】
【００３２】
その作用によって直接的な技術的進歩をもたらす大きな創造的寄与によってさまざまな課題が達成される。
【００３３】
第１に、日常および特別の場合の洗浄の作業が容易になり、それによって高度な殺菌が得られる。
【００３４】
第２に、トレンデンブルグ体位操作や、小型ベッドの移動や側壁の除去等の、医療スタッフと医療補助スタッフとの両方からの子供の介護作業が容易になる。
【００３５】
第３に、回転成形によってプラスチック材から形成されるモノブロックを支持する格子面を、軽量で、持ち運びが容易でありながら頑丈で、しかも病原体が潜む凹部の無いものとして構成することができる。特に、もっぱら成形処理によってのみ達成可能な丸みを帯びたエッジ部の存在により、小児用として特に好適で、普通の殺菌のみならず特別なケースの殺菌のすべての作業に適したものとなる。また、追加のコンポーネントはこれらの作業の邪魔にならないように一体化される。
【００３６】
更に別の目的は、格子面を、取扱い中または傾斜位置においてもそれを正しい位置に維持するべく、マットレスの側方拘束部材を、モールドからモノブロック式に一体形成することにある。
【００３７】
更に別の目的は、成形された大型ハンドル、座部およびハウジングを得ることにある。
【００３８】
更に別の目的は、休養のための最少傾斜角度、食事のためのより大きな傾斜角度、治療機能を行うための特定の角度等の異なる角度を得るべくその端部において容易に持ち上げ可能で、かつ高度に殺菌された、背もたれ状に調節可能な可動部材を一体的に備える格子面モノコックシステムを提供することにある。
【００３９】
更に別の目的は、プラスチックの大きな連続面によって、たとえば、尖ったエッジの除去や金属部材との接触の減少、等といった子供ための安全性を増大すること、更に、子供が背もたれから落下することをなくし、最も厳しい規制に対しても製品を適合させることにある。
【００４０】
更に別の目的は、最終の組み付けられた製品がきわめて操作性が高く、それによって、電動機構なしでもスタッフアシスタントによって素早い動作が可能にすることにある。
【００４１】
更に別の目的は、緊急時において、頭部クロージャをあらかじめ退避させ素早く取り外すことによって、蘇生作業を行うことを可能にすることにある。
【００４２】
更に別の目的は、モダンで洗練されたデザインで、更にカラーを容易にカスタムメードすることが可能な最終製品を提供することにある。
【００４３】
更に別の目的は、最終製品を構成するコンポーネントの数を極度に制限し、製品収納コストの管理を特に単純化するように改善し、更に、提供される構成によって、制限されたコストで製品を容易かつ迅速に製造することが可能であるようにすることにある。
【００４４】
これらおよびその他の利点は、添付の図面を参照して、その実施詳細は限定的なものではなく例示的なものに過ぎないと理解される好適実施例に関する以下の記載から明らかになるであろう。
【図面の簡単な説明】
【００４５】
【図１】背もたれを備え、支持部材と共におろされた状態の組み立てられた格子面の等角図である。
【図２】高い背もたれを備え、支持部材と一体化された状態の組み立てられた前記格子面の等角図である。
【図３】高い背もたれを備え、支持部材と一体化された状態の組み立てられた前記格子面の後方からの等角図である。
【図４】背もたれが下された状態の、組み立てられた前記格子面の上方からの正射影図である。
【図５】背もたれ無しの、シェルピースを支持するモノブロックの上方からの正射影図である。
【図６】支持部材との、組み立てられた前記格子面の下方からの等角図である。
【図７】図６の詳細の軸測投影図である。
【図８】小児用ベッドの構造体の分解等角図である。
【図９】マットレスを含み、側壁が下された状態の、（画像の明瞭性と理解のためにクロージャの部材が省略された）最大高さと水平状態とにおける格子面と小児用ベッドとのアセンブリの等角図である。
【図１０】マットレスを含み、図９の側壁が下された状態の、最大高さと水平状態とにおける格子面と小児用ベッドとのアセンブリの等角図である。
【図１１】マットレスを含み、図９の側壁が持ち上げられた状態の、最小高さと水平状態とにおける格子面と小児用ベッドとのアセンブリの等角図である。
【図１２】マットレスを含み、図９の側壁が持ち上げられた状態の、トレンデンブルグ体位と呼ばれる最大傾斜角度の位置における格子面と小児用ベッドとのアセンブリの等角図である。
【図１３】マットレスを含み、図９の側壁が持ち上げられた状態の、逆トレンデンブルグ体位と呼ばれる最大傾斜角度の位置における格子面と小児用ベッドとのアセンブリの等角図である。
【図１４】組み立てられた短側壁の外側からの等角図である。
【図１５】組み立てられた短側壁の内側からの等角図である。
【図１６】クロージャの部材を取り除くために回転された、ロック解除レバーを含む、図１４の等角図である。
【図１７】透明クロージャ無しの、図１６においてＵ状に示されているフレームの等角図である。
【図１８】図１７に図示の詳細の軸測投影図である。
【図１９】持ち上げられたスライド側壁の等角図である。
【図２０】図１９に図示の詳細の軸測投影図である。
【図２１】成形部分無しの、図２０の等角図である。
【図２２】下された状態の側壁の等角図である。
【発明を実施するための形態】
【００４６】
上記およびその他の課題は請求項の特徴構成を有する本発明によって達成され、これは以下の構成によって前述した諸問題を解決する。すなわち、プラスチック材から成形されるモノブロック式の支持体を備える格子面システム１０、および、それをたとえば病院用に一体化するように構成された小児用ベッド２０の構造体（図１および図９）。
【００４７】
前記格子面１０は、好適には、回転成形法によって作られ、この方法に依れば、モールドから直接的に、複数の閉じられた連続する
部分によってリジッドに構成されるとともに、軽量で中空で、かつ、プラスチック材の厚みが実質的に一定の、大きな構造のモノブロックコンポーネントを得ることが可能である。特に、特定のコンポーネントにこの技術を使用することによって、下記の主要な利点を得ることが可能である。すなわち、種々のカラーおよびＵＶ保護仕様で大量の特定着色成形すること、尖ったコーナーや切断エッジが無いこと、すべての表面と角度が丸められ、エッジや縫い目が無いことにより消毒と洗浄を容易に行うことができること、抗菌仕様で大量一体生産できること、ショックに強く、抜染性がないこと、軽量でありながら、同時に、構造が非常に安定性と耐久性が高いこと、表面が最大限の洗浄を容易な仕上げであること、エッジや座部およびハウジングが一体形成されること。更に、回転成形法を使用することにより、アセンブリコンポーネントの数が減り、その結果として、投資、保存および作業コストが低減し、それにより、厳密に製造の観点からのみならず、管理の観点からも産業的に経済的であること。
【００４８】
このタイプのコンポーネントのために、そのような技術に最も適した材料は、ポリエチレンとポリプロピレンであるが、ただし、これらに限定されるものではない。
【００４９】
前記格子面１０は、連続性の解決手段無しで型から得られる複数の機能部材をモノブロック式（図３および図７）に一体化するものであり、それらには、少なくとも以下が含まれる。マットレスの支持面を構成する支持体１０１、この支持体１０１の短片側から突出する二つの大型ハンドル１０２、バンク状に、角部の近傍における持ち上げられたエッジ部としても作用するアーム１０３、及び成形座部である。成形座部は、背もたれリクライナ１０５を収納するワイヤのための下方のハウジング１０４と、ベース１１１とブラケット４１のハウジング座部とを含む。
【００５０】
前記大型ハンドル１０２は、前記格子面１０を構成する小型ベッド２０の短辺に対応して、取り外し可能な成形クロージャ２３０の後端部から延出するべく外方に突出するとともに（図８および９）、マットレス６０の支持面に対して上方に向けて延出し、それによって、作業者による押しまたは取扱いのために広い範囲にわたって両手によって容易に把持することを可能にし、更に、胴部を有利な高さでかつ、同じ格子面の幅にほぼ対応する大きな幅で曲げる労力を低減する。前記大型ハンドルは、支持面に対して持ち上げられて、長手側の中央に向けて角度を有して延出し前記マットレス６０の拘束の側方部として作用する支持の側方アーム１０３を有している。  
【００５１】
前記モノブロック体１０１は、三次元的な前記マットレスの支持面と背面とを有し、横リブ１１８と長手リブ１１９とを形成し、更に、ボックスタイプの貫通穴１２２とを有し、前記リブと前記穴とは同一面にあり構造的に協働して構造的剛性を高め通気性を改善するように構成されている。好適構成において（図１〜６）、前記マットレスの載置面は、スラットとして形成された前記横リブ１１８を含み、実質的に平面で平行な表面部分を少なくとも二つの異なるレベルの、交互の上り面１２０と下降面１２１とに区切るとともに、前記貫通孔１２２の形状を構成している。そのような実質的に横方向の湾曲形状は、長手上の湾曲を形成する前記支持体１０１の後方周部の形状および後方周部と一体であり、リブ１１９が前記大型ハンドル１０２とアーム１０３と連続する平行な長手部材状に長手方向に配設されており、更に、前記本体の中央帯に長手方向に沿って延出する大型リブを備えている。
【００５２】
前記リクライニング式背もたれ１０５は追加のコンポーネント（図２および３）であって、これは前記本体１０１と同様の材料で同様の成形方法によって作られ、更に、横リブ１１８と貫通孔１２２とを有しており、前記本体の美観状の一体性と性能を維持する。好適構成において、そして前記本体１０１に対応して、前記リブ１１８は、前記穴１２２を構成する、上昇面１２０と下降面１２１を区画形成する横スラットとして形成されている。前記背もたれ１０５は、たとえば、ピストンタイプ、またはガススプリングタイプとして構成され、かつ、ヒンジ拘束部を長手方向に貫通延出する中央線に沿って後部にて接続されている伸長および調節可能なアーム１１２によって支持されている。同様に、前記アーム１１２も、ベースとして機能するとともにモールドによって形成される座部１１１に挿入される成形プレート１１３によって前記本体１０１に接続されている。好適構成において、前記アーム１１２は、ロック／ロック解除機構を備え、すなわち、従来式のシースケーブル１１７を引っ張ることによって回転する外部操作レバー１１５を備えることで、前記背もたれのガススプリングを解除する。このレバー１１５は、好ましくは、簡便性のために、中間フレーム２０５に溶接され、わずかに干渉する状態で挿入されたブラケットに取り付けられたダブル構成（図８）であり、その後、側壁を取り付けることによってこのレバーは適当な座部に保持される。
【００５３】
前記背もたれ１０５は、前記頭部エッジに対応して成形することによって形成される前記大型ハンドル１０６によって、回転のために作業者によって容易に持ち上げられるとともに、前記本体１０１に固定されるべく前記エッジに対応して長手方向にセン孔され、ヒンジ状に形成されてヒンジ状に前記穴１１０に挿入される金属ピン１０９を介して前記ハウジング１０４に接続されており、回転可能である。前記背もたれ１０５は、少なくとも１つの突出部１１６の側部エッジのそれぞれに対応可能に設けられ、前記突起は、マットレス６０を効果的に収納しそれを正しい位置に維持するべく上向きのフィン状に形成され、かつ、背もたれの傾斜した状態において、たとえば、ノッチを備えるレール上で移動可能なボールタイプであり、作業者による調節中において有用で容易に視認可能な自動傾斜インジケータ１１４をその外面上に備えるように構成されている（図２，３，  １２および１３）。なお、傾斜角度がはっきりと見えることは、呼吸問題、肺炎、または頭蓋内圧、等の多くの臨床状態において有用であることが銘記される。
【００５４】
前記ハウジング１０４の底部１０７は、ひっかけのリスクを最小限にし、かつ、背もたれを持ち上げた状態でも、小型ベッド内の空間が閉じられて保護され、特に、そのような手段が安全とひっかけのリスクに関する現在の基準を満たすように、閉じられている。更に、その表面は、背もたれ１０５の背後に誤って落ちた子供に対する外傷を回避し、かつ、殺菌を容易にするために、連続して丸みを帯びて形成されている。そして前記底部１０７には、液体残余物を排出するための穴が形成されていることが好ましい。
【００５５】
具体的には、前記格子面１０は、二つの支持部材４０（図６，  ７および８）によって支持され、これら支持部材４０は、頭部と足とに対応して中央長手軸心に沿って前記本体１０１の下方部にヒンジ止めによって固定され、必要に応じて、たとえば、治療目的のための所定の位置に、前記格子面を容易に傾斜させるべく互いに独立的に高さ調節可能な柱状に構成されている。
【００５６】
以上にように構成された格子面システム１０は、子供に対する介護を容易にするべく、小児用ベッド２０の構造体に組み込まれ（図８〜１３）、前記ベッド２０は少なくとも以下を有する。
ａ）上述した格子面のシステム１０、
ｂ）可動トローリを備えるタイプの支持ベース２０１、
ｃ）前記ベース２０１、支持コーナーポスト２０３および格子面１０に水平に固定される中間フレーム２０５、
ｄ）頭部および足に対応してブラケット４１によって、後部において前記本体１０１にヒンジ止めによって接続された二つの支持部材４０、
ｅ）前記支持部材４０の高さを互いに独立に制御するロック手段５０、
ｆ）Ｕ形状の固定フレーム２２０と、格子面１０を移動するためにへこみ形状部分２３１において透明な取り外し可能クロージャ２３０とを備える二つの短側壁２１０、
ｇ）回転レバー２２１を備えるタイプの、前記クロージャ２３０をロック／ロック解除するための手段、
ｈ）透明クロージャ２４４を備えるスライドする二つの長手側壁２４０、
ｉ）前記スライド壁２４０のロック／ロック解除手段２５０。
【００５７】
前記格子面システム１０と上述したように構成された小児用ベッドとを含む前記構造体２０は、子供介護を容易にし殺菌を最適化する。特に、前記の革新的な側壁２１０，  ２４０と有利な移動のロック／ロック解除システムと組み合わされた前記格子面１０によれば、作業者は、たとえば、公知のトレンデンブルグ体位および逆トレンデンブルグ体位（図１２および１３）操作等の小児使用のために必要な高さと傾斜とのすべての調節を容易かつ安全に行うことができ、前記ベッド２０に組み込まれた格子面１０は、また、ベッドを長い距離、容易に押したり引いたりすることを可能にする。プラスチック材の大きな表面はほぼ連続しており、尖ったコーナーが無く、接続部や凹部の数は限られており、それによって殺菌作業が容易になる。
【００５８】
前記小児用ベッドの支持構造体２０  （図８および９）は、車輪２０２上に取り付けられた金属フレームから成る支持ベース２０１によって形成されるトローリ式のものであって、殺菌容易で、好ましくは、たとえば、アクリロニトリル−ブタジエン−スチレン等の熱可塑性ポリマー等のプラスチック材の単一部材から成る保護フェアリング２０４によってカバーすることができる。前記車輪２０２は静止状態と移動中との両方、そのすべての使用条件においてベッドに対して最大限の安定性を提供する。好適構成において、最大の操縦性を得て、かつ、良好な安定性を確保するために、キャスタータイプの１２５ｍｍの二つの車輪が取り付けられる。二つの車輪には、好ましくは、従来式のフット式のブレーキレバーが取り付けられる。これらの車輪２０２は、別のタイプのものとすることも可能であり、それらの混合タイプのものであってもよく、また、たとえば、非限定的に、直径１２５ｍｍまたは１５０ｍｍの、ブレーキ装置付き、またはブレーキ装置無しの、単一または二つの車輪とすることも可能である。
【００５９】
前記ベース２０１は、金属プロファイルを備える矩形タイプの中間フレーム２０５を支持し、この中間フレーム２０５は、この中間フレーム２０５のコーナーに垂直に接続されている前記コーナーポスト２０３によって前記側壁２１０および２４０を支持するべく水平に固定され、更に、前記調節可能な支持体４０を介して格子面１０を支持している。
【００６０】
好適構成において前記支持部材４０（図６および７）は、Ｔ形状となるように互いに直交状態で溶接された二つの金属管４０ａ，４０ｂから構成される。具体的には、水平部材４０ａはブラケット４１によって本体１０１の下方側にヒンジ止めによって接続され、これにより垂直部材４０ｂは、足と頭部とに対応して長手本体１０１の中央軸心状に配設された中央支持カラムとして作用する。二つの部材４０ｂは、足および頭部に対応して前記フレーム２０５に固定された、たとえば、筒状であり、スライドブッシュ４２を介して前記小型ベッド２０の構造体に対してスライド可能に取り付けられている（図８）。別の実施例において、前記支持部材４０は、たとえば、伸縮自在アームまたはガススプリング等によって補助される伸長可能タイプ、あるいは、電気モータによってサーボ補助される、サーボタイプのものとして構成することも可能である。
【００６１】
具体的には、前記小ベッド２０は、短辺側それぞれに一つまたは二つの前記ブッシュ４２に組み合わされるロック／ロック解除手段５０を備え、作業者による格子面１０の高さおよび傾斜の調節、また、たとえば、トレンデンブルグ体位の操作（図８〜１３）のための所定位置での高さおよび傾斜調節を容易にするべく、互いに独立して前記部材４０ｂのスライド移動に干渉するようにも作用する。前記手段５０は、好ましくは、機械式で従来型のものであって、大型でアクセス容易な操作レバー５１が、前記大型ハンドル１０２の近傍でその下方において前記中央軸の中心において前記シャーシ２０５に固定され、前記手段５０は、たとえば、レバー機構と、前記垂直部材４０ｂに沿って規則的なピッチで形成されている複数の穴４３に係合する複数の可動ピンとから構成される（図７）。
【００６２】
前記二つの短側壁２１０（図１４−１８）は、それぞれ、Ｕ形状で、プラスチック材からモノブロックに形成された固定フレーム２２０によって構成されている。このフレーム２２０は、モールドから下方に形成される対応の座部２２６に収納されたコーナーポスト２０３によって支持されるとともに、ファスナ部材２２７によって前記フレーム２０５に接続されている。前記フレーム２２０は、頭部側または足側からの子供に対するアクセスを容易にするとともに前記格子面１０を一体化する目的で取り外し可能な透明クロージャ２３０を有する。詳しくは、前記クロージャ２３０は、移動のために前記アーム１０３の自由な交差とスライド移動とを許容するように陥没形状の側方プロファイル２３１を備えて形成され、その外側に配置された前記大型ハンドル１０２に連続的に接続されるとともに、小型ベッドを取りこむ状態に一体化されている（図９−１０）。前記クロージャ２３０は、その目的のために適切なプラスチック材料、たとえば、ポリメチルメタクリレート、等から形成されている。
【００６３】
詳しくは、前記固定フレーム２２０は、前記回転レバー２２１から構成される、前記クロージャ２３０をロックおよびロック解除するための手段と、更に、それを完全に閉じられた位置または完全に開放された位置に維持するように構成された一体バネとを備えている。前記レバー２２１は、回転支点２２４において前記フレーム２２０に対して固定され、その端部は前記クロージャ２３０に形成された前記穴２３２に係合するように歯状部２２３に形成されている。前記手段は二つ設けられ、その上部において、反対の角度で対称に配設されている。前記クロージャ２３０の取り外しと位置変更は、モールドと、下方エッジに対応して配置されたブッシュ２２５とから一体形成され、好ましくは、鋲突出タイプである側方レール２２２によって案内されるセンタリングによって容易に行われる。通気のために有利なように、または、装飾の目的で、前記クロージャ２３０は、たとえば、上部エッジの近傍の大きな穴の形状で把持を容易にするような形状の単数又は複数の開口部２３３を備えることができる。
【００６４】
前記長手側壁２４０（図１９−２２）は、固定された透明クロージャ２３０によって周部フレームの構造体を構成し、このフレームは、水平方向においては、支持コアとして作用するとともにプラスチック材から成る上部カバー２４１と底部カバー２４２とを有する金属部材２６１から構成され、側方向においては、アルミニウムから成り、ロック／ロック解除の機構２５０と、ガススプリング２６０とを有するとともに取り付け具として作用する成形部材２４３から構成されている。内部においては、前記壁２４０は、透明シートからなるとともに、換気のためおよびデザイン上の理由によってセン孔されるとともに、その目的のために適したプラスチック材から成るクロージャ２４４を取り付けている。
【００６５】
詳しくは、前記側壁２４０は垂直にスライドするタイプのものであり、かつ、スロット付きブラケット２５７と、圧力式の前記機構２５０とによって前記案内レール２５５に対して拘束されており、機構２５０は、バネ２５３（図２１）によって付勢された成形ヘッド２５４を備えるピン２５２と一体の可動タブ２５１によって軸心方向スライド移動が行われる。前記タブ２５１は、前記コーナー直立部２０３に対して平行かつ一体の側方ガイド２５５の所定位置に形成されたノッチ２５６の溝に係合するように構成されている。好適構成において、垂直スクロール移動は、前記成形部材２４３に対して内部に位置するガススプリング２６０によって補助されるサーボ補助タイプのものである。詳しくは、前記機構２５０は、安全上の理由と、構造的バランスのために二つ設けられ、これらは、両端エッジの上部に対称に配置され、同時に作動される。
【００６６】
好適構成において、前記小型ベッド２０は、安全上の理由により、前記直立部２０３の下端部のコーナープロテクタ３０の形状の４つの突出部材を有しており、前記コーナープロテクタは、たとえば、垂直軸心を備える水平車輪による従来タイプのものとすることができる。
【符号の説明】
【００６７】
１０    格子面システム
１０１  本体部
１０２  格子面の大型ハンドル
１０３  側方アーム
１０４  下方ハウジング
１０５  リクライニン背もたれ
１０６  後部の大型ハンドル
１０７  ハウジングの底部
１０９  揺動ピン
１１０  ピン穴
１１１  ベースハウジング座部
１１２  伸長調節可能アーム
１１３  ベース
１１４  傾斜インジケータ
１１５  背もたれアーム解除レバー
１１６  フィン状突出部
１１７  シースケーブル
１１８  スラット状横リブ
１１９  スパー型長手リブ
１２０  上方面
１２１  下方面
１２２  貫通穴
２０    小児用ベッド構造体
２０１  支持ベース
２０２  キャスタ車輪
２０３  コーナー直立部
２０４  保護フェアリング
２０５  中間フレーム
２１０  短側壁
２２０  Ｕ状固定フレーム
２２１  レバー
２２２  一体レール
２２３  歯ロック
２２４  回転支点
２２５  ブッシュボス
２２６  マストハウジング座部
２２７  固定具
２３０  取り外し可能な透明クロージャ
２３１  側方陥没プロファイル
２３２  ロック穴
２３３  開口部
２４０  長手側壁
２４１  上カバー
２４２  下カバー
２４３  側方成形部材
２４４  透明クロージャ
２５０  ロック／ロック解除スライド壁機構
２５１  可動タブ  
２５２  ピン
２５３  バネ
２５４  成形頭部
２５５  垂直スライドのための側方ガイド
２５６  スロットノッチ
２５７  あぶみ
２６０  ガススプリング
２６１  水平キャリア部材
３０    エッジプロテクタ
４０    Ｔ状支持部材
４０ａ  水平部材
４０ｂ  垂直中央部材
４１    ブラケット
４２    スライドブッシュ
４３    穴
５０    ロック／ロック解除機構
５１    レバー
６０    マットレス
【図１】
2014533570.tif 000003
【図２】
2014533570.tif 000004
【図３】
2014533570.tif 000005
【図４】
2014533570.tif 000006
【図５】
2014533570.tif 000007
【図６】
2014533570.tif 000008
【図７】
2014533570.tif 000009
【図８】
2014533570.tif 000010
【図９】
2014533570.tif 000011
【図１０】
2014533570.tif 000012
【図１１】
2014533570.tif 000013
【図１２】
2014533570.tif 000014
【図１３】
2014533570.tif 000015
【図１４】
2014533570.tif 000016
【図１５】
2014533570.tif 000017
【図１６】
2014533570.tif 000018
【図１７−１８】
2014533570.tif 000019
【図１９−２０】
2014533570.tif 000020
【図２１】
2014533570.tif 000021
【図２２】
2014533570.tif 000022
【国際調査報告】
2014533570.tif 000023
2014533570.tif 000024
2014533570.tif 000025